(57)【特許請求の範囲】
【請求項１】
熱絶縁材料から作られる、頂部、底部および側部部材（１〜３）を備えた枠構造およびこの枠構造に対して開放可能な、金属またはプラスチツク輪郭体からなる頂部、底部および側部部材（５〜７）との間に嵌め込まれた断熱窓ガラス（４）を備えた、頂部で垂下されたサッシ構造からなる、窓において、絶縁窓ガラスが前記枠構造の前記頂部、底部および側部部材の外方縁面（１７〜１９）に固定されたガスケット（１１〜１３）上の直接当接のために前記枠構造の外方寸法に対応する寸法により製造され、そして前記窓の光許容区域に面している内方側で、前記枠構造の前記頂部、底部および側部部材が前記断熱窓ガラス（４）の境界区域への熱伝達を設けるための金属シート輪郭体（３１）によって被覆されることを特徴とする窓。
【請求項２】
前記枠構造の前記頂部、底部および側部部材（１〜３）が輪郭が付けられた留め継ぎ接合点（２４）において接続される木製輪郭体（２３）からなることを特徴とする、請求項１に記載の窓。
【請求項３】
前記木製輪郭体（２３）が平行四辺形形状の断面を有し、前記外方縁面（１７〜１９）が共通平面内に位置決めされており、前記輪郭断面の隣接する対向側面（２６，２７）が９５〜１４０°の角度（ｖ）を形成することを特徴とする、請求項２に記載の窓。
【請求項４】
前記木製輪郭体（２３）の厚さが薄くそして熱絶縁特性を改善するために、熱絶縁材料からなる追加の絶縁要素（２８）が、前記枠構造の前記頂部、底部および側部部材（１〜３）の内方側を形成するのに向けられる輪郭断面の側部に保持されることを特徴とする、請求項３に記載の窓。
【請求項５】
前記追加の絶縁要素（２８）が前記木製輪郭体（２３）の幅の１部分を超えて延びそして前記木製輪郭体と接続される木材からなる当接縁部（２９）によって支持されることを特徴とする、請求項４に記載の窓。
【請求項６】
前記当接縁部（２９）が、前記木製輪郭体（２３）の内方に面している縁部側で、前記熱伝達金属シート輪郭体の折り畳まれた縁部材を保持するための鼻部分（３２）を形成し、この鼻部分が前記木製輪郭体の隣接する内方側から距離を置いて配置されていることを特徴とする、請求項５に記載の窓。
【請求項７】
前記木製輪郭体（２３）は、前記枠構造の前記頂部、底部および側部部材において、前記熱伝達金属シート輪郭体（３１）および追加の絶縁要素（２８）と解放可能に接続されることを特徴とする、請求項２〜６のいずれか１項に記載の窓。
【請求項８】
前記枠構造の前記頂部、底部および側部部材（１〜３）の外方に面している側面が金属シートからなる水切り輪郭体（３４〜３６）によって被覆されることを特徴とする、請求項２〜７のいずれか１項に記載の窓。
【請求項９】
取り付け部材（３７）が前記枠構造の前記頂部部材（１）の前記水切り輪郭体（３４）と接続され、前記取り付け部材が、前記サッシ構造の前記頂部部材（５）と一体のＶ−形状のフック部材（３９）との係合により、前記枠構造に対する前記サッシ構造用の枢動ヒンジを形成する、突出壁部分（３８）を有していることを特徴とする、請求項８に記載の窓。
【請求項１０】
保持手段（４０，４１）が前記枠およびサッシ構造の前記側部部材（２，６）の少なくとも１つの隣接する対に固定され、この保持手段が、前記サッシ構造用のかつ閉止位置から計算された予め定めた開口角度内で、前記Ｖ−形状フック部材（３９）および前記突出壁部分（３８）を相互に係合して保持するが、前記サッシ構造を、前記開口角度範囲を超えて回転するとき、前記サッシ構造の前記枠構造からの取り外しを許容することを特徴とする、請求項９に記載の窓。
【発明の詳細な説明】
技術分野
本発明は、頂部、底部および側部部材を備えた枠構造およびこの枠構造に対して開放可能な、金属またはプラスチツク輪郭体からなる頂部、底部および側部部材との間に嵌め込まれかつ枠構造の頂部、底部および側部部材の外方縁面に固定されているガスケット上の直接当接のために枠構造の外方寸法に対応する寸法により製造される断熱窓ガラスを備えたサッシ構造からなっている、とくに、傾斜屋根面に取り付けるための、窓に関する。
従来の技術
デンマーク特許第７４８５８号から良く知られている、この型の窓に関して、部屋の内部に対して十分な緊密性および絶縁を得ることが一般的な問題であり、とくに、外観の理由で、窓が例えば保護された建物において使用されるならば、伝統的な建築材料は使用され得ない。
したがって、この簡単な設計の窓は、何はさておき、多少人の住んでいない区域、例えば、天井または付属建築物に適する。住空間において、しかしながら、冷たい外気が熱いまたは湿った室内空気と接触するとき、断熱窓ガラスの内方側に凝結が容易に形成される。凝結はこの分野において良く知られた問題でありかつこの問題はそれ自体は多くの満足のいく方法において解決されるが、それらの方法は高価でかつ複雑な方法である。
発明の概要
本発明の目的は、容易かつ安価に製造でき、しかも同時に居住区域において使用され得るという窓になされる絶縁特性および凝結の回避に関する要求に合致する、導入部に記載された型の窓を提供することにある。
この目的は、本発明によれば、枠構造の頂部、底部および側部部材が良好な熱絶縁材料から作られかつ窓の光許容区域に面している内方側で断熱窓ガラスの境界区域への良好な熱伝達を備えるために金属シート輪郭体によって被覆されることを特徴とする窓によって達成される。
枠またはサッシの溝に隙間塞ぎを配置する伝統的な方法に代えて、この方法においてサッシと枠との間を密封することにより、サッシの製造に関してなされる要求はより少なくかつ熱ブリッジの形成が回避される。良好に絶縁された枠および熱伝達輪郭体との組み合わせにより、かかる窓は通常の条件により実質上凝結が回避される。
枠構造の頂部、底部および側部部材は好ましくは、窓枠構造の取り付けを簡単にすることに加えて、さらに他の改善された絶縁を付与する輪郭が付けられた留め継ぎ接合点において接続される木製輪郭体からなり、木製輪郭体の悪い絶縁端面が被覆されている。
材料節約実施例において、木製輪郭体が実質上平行四辺形形状の断面を有しており、前記外方縁面が共通平面内に位置決めされており、それにより輪郭断面の隣接する反対側面が９５〜１４０°の角度を形成する。
本発明の好適な実施例は、木製輪郭体の厚さが比較的薄くかつ断熱特性を改善するために良好な断熱材料区域からなる追加の絶縁要素が枠構造の頂部、底部および側部部材の内方側を形成するようになされる輪郭断面の側に保持されていることを特徴としている。
窓の材料を再使用するための特別な観点により開発された実施例において、枠構造の頂部、底部および側部部材の木製輪郭体は、必要ならば、前記熱伝達金属シート輪郭体および追加の絶縁要素と解放可能に接続され、それにより窓は、取り外されるとき、分解が容易である。
本発明のさらに他の実施例は、上述されなかった、残りの独立の請求の範囲から明らかとなる。
本発明を以下で添付図面に示される実施例に関連して説明する。
【図面の簡単な説明】
第１図は傾斜屋根面に取り付けられるような頂部で垂下された窓を示す斜視図であり、
第２図、第３図および第４図は第１図の線ＩＩ−ＩＩ，ＩＩＩ−ＩＩＩおよびＩＶ−ＩＶに沿う枠およびサッシ構造の頂部、側部および底部部材を示す断面図であり、
第５図は窓用の頂部ヒンジの設計を示すサッシの横方向および部分断面図、そして
第６図は枠構造の頂部、側部および底部部材間の隅部接合点の設計を示す図である。
発明を実施するための最良の形態
図面に示される実施例において、本発明による頂部で垂下された屋根または天窓は頂部部材１、側部部材２および底部部材３を有している枠構造、およびこの枠構造に対して開放可能な、頂部で垂下されたサッシ構造からなり、そのさい断熱窓ガラス４が頂部部材５、側部部材６および底部部材７の間に嵌め込まれている。
第２図ないし第４図の断面図から明らかなように、断熱窓ガラス４は、この窓ガラス４の縁面８〜１０が枠構造の頂部、側部および底部部材１〜３の外方側と実質上面一であり、かつ窓の閉止位置において断熱窓ガラス４が枠構造の頂部、側部および底部部材１〜３の外方縁面１７〜１９の溝１４〜１６内に維持される弾性密封輪郭体１１〜１３に直接当接するように、枠構造の外方寸法に実質上対応する寸法により製造される。
サッシ輪郭体５〜７は図示実施例において、薄い壁厚さを備えた実質上Ｌ形状を有する金属シート輪郭体として設計されかつ第１図に示されるように４５°の角度接合点として作られ得る隅部接合点２０によって相互に接続されている。
この非常に簡単なかつ軽いサッシ構造において、断熱窓ガラス４は接着密封によって、例えば、図示のごとく、シリコン接着剤の接合点２１および２２によって固定される。
断熱窓ガラス４の縁面８〜１０に当接する、サッシ輪郭体５〜７のＬ形状断面の壁５ａ〜７ａは、図示のごとく、閉止された位置において、この壁の後ろに横たわっている枠部材１〜３の外方側に重なり合いかつ内方縁部において柔らかく丸められた縁部を設けるために折り畳まれるような幅により製造されている。
良好な熱絶縁を得るために、枠の頂部、側部および底部部材１〜３は木製輪郭体２３から作られ、この輪郭体は、第６図に示されるように、隅部において、例えば、波形の当接面２５を備えた輪郭が付けられた留め継ぎ接合点２４において接続されている。この接合方法は頂部、側部および底部部材１〜３の安全な相互錠止を部分的に設け、最適な絶縁特性を部分的に付与し、木製輪郭体の端面が枠部材の外方側から除去されるという利点を有している。
図示実施例において、枠木製輪郭体２３は実質上平行四辺形形状の断面により製造され、そのさい上述した外方縁面１７〜１９は共通面内に横たわり、それにより輪郭断面の隣接する反対側面２６，２７は例えば９５〜１４０°、図示実施例においては９６°の角度ｖを形成している。ピラミッドの低い角錐台の形状を備える構造を設けるこの輪郭断面により、好都合な可能性は、例えばローラブラインドおよび虫網のような付属品の種々の形状を取り付けるために望ましい斜めの内方側部を備え、かつ最小の材料消費を備えた枠構造を製造することから得られ、輪郭体２３は、図示のごとく、比較的薄い厚さにより製造されている。
図示実施例において、枠構造の熱絶縁特性は、枠構造の内方側を形成するのに向けられる輪郭体２３の側に、適宜な、良好な絶縁材料から製造され得る、追加の実質上ロッド形状の絶縁要素２８が保持されるということによって改善されている。
第２図ないし第４図から理解されるように、絶縁要素２８は木製輪郭体２３の幅の１部分を横切って延びかつ溝および舌片接合点３０によって木製輪郭体２３と接続される当接縁部２９によって支持されている。
内方側２６上で、枠構造の頂部、側部および底部部材１〜３は、内方側全体を被覆しかつ断熱窓ガラス４の縁部区域に向かって延びる金属シート輪郭体３１からなる被覆において終端している。この金属シート被覆により、断熱窓ガラスに対してかかる改善された熱伝達は、実際上、凝結の幾らかが他の方法では屋根または天窓の境界区域にしばしば発生する、この凝結を完全に阻止することができるように外に曲げたことによって得られる。熱伝達は、代表的には、室温２０℃および室外温度０℃において、約１４℃の温度が断熱窓ガラス４の内方側に得られるという効果を有している。
当接縁部２９が、図示のごとく、これらが木製輪郭体２３から距離を置いて鼻部分３２を形成するように設計されるということは、被覆輪郭体３１を折り畳まれた縁部分３３とともに製造することにより被覆輪郭体３１を保持するのに利用され得る。
枠構造のこの設計は、木製輪郭体２３およびそれと接続される当接縁部２９が絶縁要素２８および被覆輪郭体３１と解放可能に接続され得るということを引き起こし、このことはラッカー仕上げ／色の変化のためにまたは付属品用取り付け具の取り付けのために容易に交換されることができ、かつ続いて起こる分解において枠構造を木製輪郭体、絶縁要素および金属輪郭体に、材料を高度に再利用するために、容易に分離することを可能にする、簡単な、かつ環境的観点から好都合な構成を引き起こす。
外方側上で、枠構造の頂部、側部および底部部材１〜３はそれ自体公知の方法において、金属シートからなる水切り輪郭体３４〜３６によって被覆されている。
下に横たわっている屋根構造への窓の固定のために、第３図に示されるごとく、溝３５ａが、屋根構造に続いて固定される、固着アングルまたは帯片を受容するために枠の側部部材２に設けられる。
図示のサッシおよび枠構成は、好都合な方法において、それぞれ、枠およびサッシ構造の頂部部材１および５と一体の窓の頂部ヒンジの作成を可能にする。
このために、突出壁部分３８の形のヒンジピン形成部材を備えた取り付け部材３７が枠の頂部部材１の水切り輪郭体３４と接続されることができ、これに反して、実質上Ｖ形状のフック部材３９はサッシ頂部部材５用のＬ形状金属シート輪郭体の壁部分５ａと一体に作られ、前記フック部材３９は上向きの壁部分３８に蝶着されておりかつ２０〜３０°の範囲の開口角度を有している。
フック部材３９および突出する壁部分３８を相互に係合して保持するためにかつ通気位置へのサッシ構造の回転を可能にするために、固定手段が、第５図に示されるように、枠およびサッシ構造の側部部材２および６の隣接する対に固定され、前記固定手段は、図示実施例において、例えば、ヒンジ４４の枢動軸線内に軸線を有する部分筒状案内面４２および４３を備えた、耐磨耗性のプラスチツク材料からなるブロックの形の、保持手段４０および４１からなっている。Ｖ形状のフック部材３９の開口角度より小さい、開口角度の範囲内で、保持手段４０および４１はヒンジ部材３８および３９を相互に係合して保持する一方、保持手段は、サッシ構造がこの開口角度の範囲を超えて第５図に破線で示される位置へ回転されるとき、係合解除されかつしたがって枠構造に対してサッシ構造の容易な分解を許容する。
開口角度範囲内で通気位置へ枠構造に対してサッシ構造を開放するために、窓のオペレータはそれ自体公知の方法において枠およびサッシ構造の底部部材３および７に関連して取り付けられることができ、例えば、この窓のオペレータは木製輪郭体２３および絶縁要素２８の凹所に収納されたオペレータハウジング４５および例えば折り畳まれた縁部分に固定されたＬ−形状のサッシ輪郭体７ａに関連して例えばＬ−形状のコンソール４８に固定されるサッシ固定具４７と取り外し可能に接続され得る操作チェーン４６を有する電動チェーンオペレータとして構成されている。
【図１】
0003990461.tif 000002
【図２】
0003990461.tif 000003
【図３】
0003990461.tif 000004
【図４】
0003990461.tif 000005
【図５】
0003990461.tif 000006
【図６】
0003990461.tif 000007